(57)【要約】【課題】複数個を容易に連結することができ、単体で使用する場合でも連結させて使用する場合でも、見栄えの良い形態を維持することを可能にする。【解決手段】上部開口のポケット部３０が背面に一体に設けられた透光性を有する前カバー１と、ポケット部３０に離反可能に被さるようにして前カバー１の背面に連結された後カバーとから成るホルダー本体１０の下端部に、後カバーに対向する姿勢とホルダー本体１０の下に突出する姿勢との切り替えが可能な連結片４が連結される。連結片４には後カバーに対向したときに背面となる面４１に嵌合部５ｂを露出させて雄スナップ５が取り付けられ、ホルダー本体１０の上端部には嵌合部を後カバーの背面に露出させて雌スナップ６が取り付けられる。さらに後カバー２の下端部にも雌スナップ６が、嵌合部を後カバー２の前面に露出させた状態で取り付けられる。【選択図】図３
2019069108.tif 000002
【特許請求の範囲】
【請求項１】
上部開口のポケット部が背面に一体に設けられると共に前面の前記ポケット部に対応する箇所からポケット部の中を透視することが可能な前カバーと、この前カバーの背面の前記ポケット部より上の部分に連結されてポケット部に離反可能に被さる後カバーと、前記後カバーに対向する姿勢と前カバーおよび後カバーの下に突出する姿勢との切り替えが可能に支持されるように前記前カバーまたはポケット部の背面に連結される連結片とを具備し、
前記連結片には、互いに着脱自在な第１および第２の留め部材のうちの第１の留め部材が、当該連結片の前記後カバーに対向する姿勢のときに背面となる面の上に第２の留め部材に相対させる部分を露出させた状態で取り付けられ、
前記後カバーの前記連結片に対向する部分より上の部分または前カバーの後カバーが連結される位置より上の部分には、その部分の背面の上に前記第１の留め部材に相対させる部分を露出させた状態で前記第２の留め部材が取り付けられ、
前記後カバーの前記連結片に対向する部分には、その部分の前面の上に前記第１の留め部材に相対させる部分を露出させた状態で前記第２の留め部材が取り付けられる、
飾り物用ホルダー。
【請求項２】
前記前カバーは透光性を有する樹脂シートであって、この前カバーより短い樹脂シートの上端縁を除く各端縁が前カバーに溶着されることによって前記ポケット部が形成され、
前記後カバーは、前記ポケット部より上の位置で前カバーに溶着された樹脂シートであって、当該後カバーの上端部および下端部にそれぞれ前記第２の留め部材が取り付けられる、請求項１に記載された飾り物用ホルダー。
【請求項３】
前記後カバーの前記ポケット部より上の部分に、吊り支持用の部材を通すための穴が設けられている、請求項１または２に記載された飾り物用ホルダー。
【発明の詳細な説明】
【技術分野】
【０００１】
本発明は、缶バッジ，コイン，カード，アクセサリーなどの「飾り物」として使用することができる物品を、飾る目的で保持するためのホルダーに関する。
【背景技術】
【０００２】
近年、缶バッジを鞄などの手回り品や壁面などに吊り下げて保持するためのホルダーが提案されている。その一例として、特許文献１には、前面が開口された円盤状のホルダー本体の外表面にリングや鎖などを取り付けるための連結具が一体に設けられた構成のホルダー（特許文献１では「バッジホルダ」と記載。）が開示されている。さらに特許文献１の図８には、複数のホルダーを互いに連結して吊り下げられるようにするために、上記の連結具を外表面の２箇所または３箇所に設けたホルダーが開示されている。
【０００３】
また非特許文献１には、透明樹脂シートによる円盤状の袋体の一面に開口部が設けられると共に、袋体の上下にストラップ穴を有する突片が設けられた構成のホルダー（特許文献２では「缶バッジ保護カバー」と記載。）が開示されている。
【先行技術文献】
【特許文献】
【０００４】
【特許文献１】特開２０１６−６４００５号公報
【非特許文献】
【０００５】
【非特許文献１】意匠登録第１５４９６１９号公報
【発明の概要】
【発明が解決しようとする課題】
【０００６】
特許文献１の図８に記載されたホルダーや非特許文献１に記載されたホルダーは、単体で使用することも、複数個を連結させて使用することも可能なものであるが、いずれも、複数個を連結するには、別途、鎖や紐などの連結部材を準備する必要があり、連結部材を固定する作業に手間取ったり、連結部材の固定が不十分なために連結が解除されて下方のホルダーが落下したり、連結部材が目立って美観が損なわれるおそれがある。また連結用の穴が形成された突部がホルダー本体の複数箇所に設けられるため、ホルダーが単体で使用される場合の見栄えも悪い。
【０００７】
本発明は上記の問題に着目し、連結部材を準備することなく複数個を容易に連結することができ、単体で使用する場合でも連結させて使用する場合でも、見栄えの良い形態を維持することが可能な飾り物用ホルダーを提供することを課題とする。
【課題を解決するための手段】
【０００８】
本発明による飾り物用ホルダーは、上部開口のポケット部が背面に一体に設けられると共に前面のポケット部に対応する箇所からポケット部の中を透視することが可能な前カバーと、この前カバーの背面のポケット部より上の部分に連結されてポケット部に離反可能に被さる後カバーと、後カバーに対向する姿勢と前カバーおよび後カバーの下に突出する姿勢との切り替えが可能に支持されるように前カバーまたはポケット部の背面に連結される連結片とを具備する。
【０００９】
連結片には、互いに着脱自在な第１および第２の留め部材のうちの第１の留め部材（たとえばスナップボタンの雄スナップ）が、当該連結片の後カバーに対向する姿勢のときに背面となる面の上に第２の留め部材（たとえばスナップボタンの雌スナップ）に相対させる部分を露出させた状態で取り付けられる。
【００１０】
上記の第１の留め部材に連結される第２の留め部材は２箇所に設けられる。そのうちの１つは、後カバーの連結片に対向する部分より上の部分または前カバーの後カバーが連結される位置より上の部分に、その部分の背面の上に第１の留め部材に相対させる部分を露出させた状態で取り付けられる。他の１つは、後カバーの連結片に対向する部分に、その部分の前面（前カバーの側の面）の上に第１の留め部材に相対させる部分を露出させた状態で取り付けられる。
【００１１】
上記の構成によれば、飾りとなる物品をポケット部に収納することによって、当該物品を前カバーを通して鑑賞可能に保持することができる。物品を入れたホルダーを単体で使用する場合には、連結片を後カバーの裏側（前面）に対向させて、その対向箇所にある第２の留め部材と連結片の第１の留め部材とを連結することにより、連結片が後カバーの裏側（前面）に連結された状態で維持されるようにする。こうすることによって、連結片が前方から見えない状態で維持され、連結片が下方に垂れ下がるおそれもなくなる。
【００１２】
一方、このホルダーを他の同種のホルダーと連結させる場合には、連結片を下方に延ばすことによって第１の留め部材の第２の留め部材に相対させる面を前方に向け、これに他のホルダーの連結片に対向する部分より上にある第２の留め部材を連結することにより、２つのホルダーの連結作業を完了させることができる。
【００１３】
本発明の第１の実施形態による飾り物用ホルダーでは、前カバーとして透光性を有する樹脂シートが使用され、この前カバーより短い樹脂シートの上端縁を除く各端縁が前カバーに溶着されることによって前記ポケット部が形成される。また後カバーはポケット部より上の位置で前カバーに溶着された樹脂シートであって、当該後カバーの上端部および下端部にそれぞれ前記第２の留め部材が取り付けられる。
【００１４】
上記の実施形態によれば、３枚の樹脂シートを溶着加工により連結する方法によってホルダー本体を形成することができるので、構成が簡単になって製作の手間も軽減される。また後カバーの上端部と下端部とに第１の連結部材が取り付けられるので、後カバーを前カバーとほぼ同等の長さにすることによって、複数のホルダーが連結されたときの連結片が目立たないように連結片を短くすることができる。さらに、後カバーの幅や端縁形状を前カバーに合わせると、ポケット部を含む前カバーの背面のほぼ全体に後カバーを重ねることができ、ホルダーの前面側だけでなく背面側の美観も向上する。
【００１５】
本発明の第２の実施形態による飾り物用ホルダーでは、後カバーのポケット部より上の部分に、鎖や紐などの吊り支持用の部材を通すための穴が設けられる。このようにすれば、吊り支持のための部材を通すための場所も前カバーの裏側に収めることができ、美観をさらに高めることができる。
【発明の効果】
【００１６】
本発明によれば、前カバーまたはその背面のポケット部に連結された連結片を介して複数のホルダーを連結することができるので、連結用の別部材を準備する必要がなく、簡単かつ素早く連結作業を完了することができる。また単体で使用する場合には、連結片を前方から見えない状態で保持することができ、単体としての見栄えが従来より格段に向上する。
【００１７】
さらに、保持対象の飾り物の全体をポケット部に収容して前ケースの側から透視することができるので、飾り物を汚れや傷から守りながら鑑賞することができる。またポケット部に後カバーが被せられることにより、飾り物がポケット部から抜け落ちたり、ポケット部に埃が入るのを防ぐことができる。
【図面の簡単な説明】
【００１８】
【図１】本発明の一実施形態にかかる缶バッジ専用のホルダーの正面図である。
【図２】上記ホルダーの背面図である。
【図３】連結片を下方に延ばしたときの上記ホルダーを表す正面図である。
【図４】図３に示す状態のホルダーの背面図である。
【図５】図１に示す状態のホルダーの平面図である。
【図６】図１に示す状態のホルダーの底面図である。
【図７】図１に示す状態のホルダーの右側面図である。
【図８】図１−１中のＡ−Ａ線に沿う断面図である。
【図９】後カバーをめくりあげた状態のホルダーを表す背面図である。
【図１０】缶バッジが収納されたホルダーが単体で使用される場合の使用例を表す正面図である。
【図１１】缶バッジが収納されたホルダーが連結されて使用される場合の使用例を表す正面図である。
【図１２】図１１に示すホルダーの連結体の背面図である。
【図１３】缶バッジが収納されたホルダーが帯状体に取り付けられて使用される場合の使用例を表す正面図および背面図である。
【図１４】他の形態の缶バッジ専用のホルダーの背面図である。
【発明を実施するための形態】
【００１９】
図１〜図９は、本発明の一実施形態である缶バッジ専用のホルダーＨ（以下「缶バッジホルダーＨ」または単に「ホルダーＨ」という。）の構成を表す図であり、図１０〜１３は当該缶バッジホルダーＨの使用例を表す図である。以下、これらの図面中の符号を参照して実施例を詳細に説明する。
【００２０】
この実施例の缶バッジホルダーＨは、前カバー１の背面にポケット片３および後カバー２が重ねられて連結された構成のホルダー本体１０と、ホルダー本体１０の下端部に連結された連結片４と、連結片４を留めるための留め部材（雄スナップ５および雌スナップ６）とにより構成される。前カバー１，後カバー２，ポケット片３および連結片４は、いずれも可撓性を有する樹脂シートであるが、前カバー１のみが透明で、その他には有色の樹脂シート（色彩や材質も同じ）が使用される。
【００２１】
前カバー１は、下端縁を上端縁より大きく湾曲させた小判状に象られている。ポケット片３は、前カバー１の最下端から所定の高さ位置までの範囲と大きさおよび輪郭形状が同一に設定され、前カバー１の背面の対応範囲に位置合わせされて上端縁以外の端縁が前カバー１に溶着される。このポケット片３と前カバー１とによって、前方から内部を透視することが可能な上部開口のポケット部３０が形成される。
【００２２】
後カバー２のポケット片３に重ならない部分は、前カバー１の対応する部分と同じ大きさで端縁形状も同一に設定される（以下、前後の各カバー１，２のポケット片３に重ならない部分を「上端部」という。）。これらのカバー１，２は、上端部を揃えて重ねられて互いの端縁同士が溶着されることにより連結される。
【００２３】
後カバー２のポケット片３に被さる部分は、ポケット片３よりやや小さいがポケット片３の端縁に沿う形状となっている。後カバー２は、通常は前カバー１の上端部およびポケット部３０の大半に重なってポケット部３０の開口端縁を保護する（図２，図４を参照。）が、後カバー２をめくり上げることによって、開口端縁を含むポケット部３０の全体を露出させることができる（図９を参照。）。
【００２４】
連結片４は、前カバー１の上端部に対応する長さを有し、先端が半円状に丸められた小片である。この連結片４は、半円状の先端縁に対向する基端縁がポケット片３の下端縁の幅中央部に溶着されることによってホルダー本体１０に連結され、通常は、ホルダー本体１０に向き合う姿勢をもって後カバー２やポケット片３に接触可能に支持される。しかし、適宜、溶着部分を軸として回転させることによって、連結片４をホルダー本体１０の下に突出する姿勢にすることができる（図３，４を参照。）。
【００２５】
連結片４には、嵌め込みタイプのプラスチック製スナップボタンの雄スナップ５が取り付けられている。この雄スナップ５は、連結片４が下方に突出したときに前面となる面４１、言い換えると連結片４が後カバー２やポケット片３に対向するときに背面となる面４１の上に雌スナップ６への嵌合部５ｂを露出させ、反対の面４２の上に頭部５ａを露出させた状態で連結片４に嵌め込まれる（図３〜８を参照。）。
【００２６】
ホルダー本体１０の上端部の幅中央部には、上記の雄スナップ５に対する雌スナップ６が取り付けられている。この雌スナップ６は、雄スナップ５に対する嵌合部６ｂが後カバー２の背面２１の上に露出し、頭部６ａが前カバー１の前面１２の上に露出する状態にして、前カバー１および後カバー２の双方に嵌め込まれている。
【００２７】
さらに、後カバー２の下端部の幅中央部にも、上端部と同一の雌スナップ６が、上記とは反対の向き、すなわち嵌合部６ｂが後カバー２の前面２２（ポケット片３に対向する面）の上に露出し、頭部６ａが後カバー２の背面２１の上に露出する状態にして後カバー２に嵌め込まれる。また後カバー２の上端部の雌スナップ６の下方にあたる位置には、中心線に対して左右対称となる関係をもって一対の小孔７，７が設けられている。
【００２８】
上記構成によれば、後カバー２をめくり上げてポケット部３０の開口端縁を露出させ、保持対象の缶バッジＢをその前面を前に向けてポケット部３０に入れ、後カバー２を元に戻すことによって、缶バッジＢを鑑賞可能な状態で保持することができる（図１０を参照。）。これで缶バッジＢの全体がポケット部３０に収納され、後カバー２により開口端縁が覆われることによってポケット部３０に埃が入るのを防ぐことができるので、缶バッジＢに汚れや傷が付くのを防ぐことができる。
【００２９】
この缶バッジホルダーＨを単体で使用する場合には、缶バッジＢの収納後に、ポケット片３と後カバー２との間に連結片４を挿入して、連結片４の雄スナップ５を後カバー２の下端の雌スナップ６に嵌め込んで、連結片４が後カバー２に対向する状態が維持されるようにするのが望ましい。また図１０に示すように、小孔７，７に吊り下げ用の部材８（図示例ではボールチェーン）を通すことによって、缶バッジＢを飾るのに適した場所に缶バッジホルダーＨを吊り下げることができる。
【００３０】
２つの缶バッジホルダーＨ，Ｈを連結させるには、一方のホルダーＨの連結片４を下方に突出させることによって雄スナップ５の嵌合部５ｂを前方に向け、その嵌合部５ｂを他方のホルダーＨの上端部の雌スナップ６の嵌合部６ｂに嵌め込む。この作業によって２つのホルダーＨ，Ｈは図１１，１２に示すような連結状態になり、その連結を維持して吊り下げることができる。３個以上のホルダーＨを連結する場合でも、同様の要領で連結片４を介して各ホルダーＨを上下方向に連結することができる。なお、連結体の最下段のホルダーＨについては、単体で使用する場合と同様に、連結片４を後カバー２とポケット片３との間に挿入して連結片４の雄スナップ５を後カバー２の下端の雌スナップ６に嵌め込むのが望ましい。
【００３１】
この実施例の連結片４は前カバー１の上端部の幅中央部の縦幅とほぼ同じ長さに設定されているので、連結状態になった場合の連結片４は前方から殆ど見えない状態となり（図１１を参照。）、連結体全体としての見栄えの良さを維持することができる。また連結片４をホルダー本体１０の下方に延ばして、連結片４の雄スナップ５を他方のホルダーＨの上端部の雌スナップ６に嵌め込むことで連結作業を完了することができ、連結のための別部材を用意する必要がなく、簡単に連結体を形成することができる。
【００３２】
缶バッジホルダーＨを単体で使用する場合にも、連結片４の雄スナップ５を後カバー２の下端部の雌スナップ６に嵌め込んで連結片４と後カバー２とを連結することにより、ホルダーＨを吊り下げても連結片４が垂れ下がって見苦しくなるおそれがない。連結片４は前面側に露出せず、背面側でも連結片４の殆どが隠れた状態となるので見栄えの良い状態を維持することができる。
【００３３】
また、前カバー１を介して後カバー２やポケット片３の色彩が透過することや、ホルダー本体１０や連結片４の表面にスナップボタンの頭部６ａ，５ａが露出していることを利用して、これらの配色を工夫すれば、より一層美観を高めることができる。
【００３４】
さらにこの実施例では、連結片４を介して後カバー２とポケット片３とを輪状に連結することができるので、図１３（１）（２）に示すように、バッグの持ち手やベルトなどの帯状体９をポケット片３と後カバー２との間に挟んでから後カバー２と連結片４とを留めることによって、ポケット片３と後カバー２とによる輪の中に帯状体９を挿通させ、これをもって缶バッジＢを保持するホルダーＨを帯状体９に取り付けることができる。また２つの小孔７，７の間に安全ピンを通すことによって缶バッジＢを保持するホルダーＨを布地に取り付けることもできる。このように、この実施例の缶バッジホルダーＨによれば、吊り下げ支持に限定されない多様な支持方法で缶バッジを飾ることができる。
【００３５】
上記のとおり、この実施例の缶バッジホルダーＨは、高いデザイン性と利便性を備えるもので、従来の缶バッジホルダーに比べて商品価値が格段に高められる。
【００３６】
以下、上記実施例の変形例について説明する。
上記実施例では、前カバー１のみを透明としたが、前カバー１以外についても透明または半透明のシートを使用してもよい。また前カバー１以外については、模様が入ったシートやラメ入りシートを使用してもよいし、色彩が異なる複数のシートを組み合わせてもよい。
【００３７】
前カバー１も透明に限らず、半透明のシートを使用しても良いし、ポケットの中を透視できる機能が確保できるのであれば、色や模様が入ったシートやラメ入りシートを使用してもよい。また前カバー１のポケット部３０に対応する範囲のみを透明または半透明とし、その他の部分を着色して透光性を有さない状態（すなわち前カバー１に透視用の窓を設ける。）にしてもよい。
【００３８】
後カバー２も、必ずしも前カバー１に合わせた形状にする必要はなく、前カバー１からはみ出すことがない範囲で種々に形状を変更することができ、それに応じて前カバー１への溶着位置を変更することもできる。
【００３９】
その一例として、図１４に示す缶バッジホルダーＨ´では、後カバー２の上端部を前カバー１より短くして、前カバー１の上端部の裏面１１の一部が露出するように両カバー１，２を位置合わせして、後カバー２の上端縁２０およびポケット部３０より上の両側縁を前カバー１，２に溶着している。またこの第２形態の缶バッジホルダーＨ´では、上端部の雌スナップ６が前カバー１の上端部の後カバー２に重ならない部分に取り付けられ、それによって、前カバー１の背面１１の後カバー２が連結される位置より上の部分に雌スナップ６の嵌合部６ｂが露出している。
【００４０】
吊り下げ用の部材を通す小孔７の位置は上端部の雌スナップ６の下に限らず、雌スナップ６の左右に設けてもよい。または、雌スナップ６をやや下の位置に配置し、その雌スナップ６より上に小孔７を設けてもよいし、その場合には、小孔７を１つのみとして、ホルダー本体１０の幅中央部に形成してもよい。また、小孔７に代えて、吊り下げ用の部材を通す孔部を有する金具または樹脂製部材をホルダー本体１０の背面に固定してもよい。
【００４１】
連結片４を留めるためのスナップボタンに関しては、上記実施例とは反対に、連結片４に取り付けるスナップを雌型とし、ホルダー本体１０の上下の端縁部に取り付けるスナップを雄型としてもよい。またホルダー本体１０の前カバー１のポケット部３０に対応する部分以外および連結片４を、針が通る材料（布や合成皮革など）により形成することもでき、その場合には、縫い付けタイプのスナップボタンの雄スナップまたは雌スナップを連結片４の面４１に縫い付けると共に、これに相対させる雌スナップ６または雄スナップ５を後カバー２の背面２１の上端部と前面２２の下端部とに縫い付けてもよい。または、これらのスナップが縫着される位置にスナップに代えて面ファスナーを取り付けてもよい。
【００４２】
缶バッジＢ以外の物品（コイン，カード，アクセサリーなど）についても、その物品に応じてホルダー本体１０の大きさや形状を変更することによって、上記の実施例や変形例と同じ構成上の特徴を有するホルダーを提供することができる。
その場合、保持対象の物品の厚みによっては、ポケット部３０にマチを設けてもよい。またポケット片３の下端縁を前カバー１の下端縁より上に設けて、前カバー１の下端部のポケット片３が重ならない部分に連結片４を連結してもよい。
【符号の説明】
【００４３】
Ｈ  缶バッジホルダー
Ｂ  缶バッジ
１  前カバー
２  後カバー
３  ポケット片
４  連結片
５  雄スナップ
６  雌スナップ
７  小孔
８  ボールチェーン
９  帯状体
１０  ホルダー本体
３０  ポケット部
５ａ，６ａ  頭部
５ｂ，６ｂ  嵌合部
【図１】
2019069108.tif 000003
【図２】
2019069108.tif 000004
【図３】
2019069108.tif 000005
【図４】
2019069108.tif 000006
【図５】
2019069108.tif 000007
【図６】
2019069108.tif 000008
【図７】
2019069108.tif 000009
【図８】
2019069108.tif 000010
【図９】
2019069108.tif 000011
【図１０】
2019069108.tif 000012
【図１１】
2019069108.tif 000013
【図１２】
2019069108.tif 000014
【図１３】
2019069108.tif 000015
【図１４】
2019069108.tif 000016